(57)【特許請求の範囲】
【請求項１】
照明灯ランプの点灯時に照明灯ランプの光を受けて充電し、照明灯ランプが消灯したときに、上記充電した電力によって点灯して夜間照明を行うとともに、環境の変化を検知して警報を発するようにした監視灯であって、
Ｕ字状のアーム（１２）又はワイヤー（７２）によって照明灯ランプ管（５０）又は照明灯リフレクターに吊り下げられる函体（１１）と、
該函体（１１）に照明灯ランプ管（５０）に対面するように設けられるか又は照明灯ランプ管（５０）に貼り付けられ、照明灯ランプの光を受光して発電するソーラパネル（１３）と、
上記函体（１１）に設けられ、充電された充電池又はコンデンサ（２１）を電源として点灯するＬＥＤ（１４）と、
上記函体（１１）に内蔵され、上記ソーラパネル（１３）の起電力を電源として充電池又はコンデンサ（２１）を充電する一方、照明灯ランプが消灯したときに上記ＬＥＤ（１４）を点灯させる通電回路（２０）と、
上記函体（１１）に設けられ、人間の存在、温度、湿度、照度又は炭酸ガスの群から選ばれる１又は複数のパラメーターから環境の変化を検知する環境センサー（１５、１５Ａ、１５Ｂ、１５Ｃ、１５Ｄ）と、
該環境センサー（１５、１５Ａ、１５Ｂ、１５Ｃ、１５Ｄ）の信号を受け、警報を発する警報装置（３０）と、
を備えたことを特徴とする監視灯。
【請求項２】
上記環境センサーが、人感センサー（１５）、温度センサー（１５Ａ）、湿度センサー（１５Ｂ）、照度センサー（１５Ｃ）、炭酸ガスセンサー（１５Ｄ）の群から選ばれる１又は複数のセンサーである請求項１記載の監視灯。
【請求項３】
上記警報装置（３０）は警告音の発生、光の点滅及び不審者侵入の携帯端末への通信のうちの少なくとも１つを行うようになっている請求項１記載の監視灯。
【請求項４】
上記警報装置（３０）には環境の変化時にシャッター駆動機構（３１Ａ）が作動されるストロボ付きカメラ（３１）が設けられている請求項１記載の監視灯。
【発明の詳細な説明】
【技術分野】
【０００１】
本発明は監視灯に関し、特に既存の照明器具にセットして不審者の侵入や火災などの異常を監視できるようにした監視灯に関する。
【背景技術】
【０００２】
従来、不審者の侵入を検出して警報を出力する監視システムが一般住宅、共同住宅、公共施設などに設置され実用化されている。
【０００３】
例えば、住宅の監視システムは、屋外に面した部屋の窓などに窓開閉の検知器を設置し、監視モードにセットし、不審者が窓を開けて中に侵入しようとすると、検知器が窓の開放を検知し、監視装置が警報音を発して威嚇し、不審者の侵入を未然に防止するようになっている（特許文献１）。
【０００４】
また、最近の監視システムでは不審者の侵入を検知した場合に警報音を出力すると共に、回線網を経由して利用者の携帯端末に警告信号を送信し、利用者に異常を知らせて適切に対処できるようにすることが行われている。
【先行技術文献】
【特許文献】
【０００５】
【特許文献１】特開２０１４−１５３９７２号公報
【発明の開示】
【発明が解決しようとする課題】
【０００６】
しかし、特許文献１記載の監視システムでは複雑なシステムを必要とし、コスト高になり、住宅等に設置し難いという問題があった。
【０００７】
本発明はかかる問題点に鑑み、複雑で高価なシステムを使用することなく、照明器具を利用して不審者等を監視できるようにした監視灯を提供することを課題とする。
【課題を解決するための手段】
【０００８】
そこで、本発明に係る監視灯は、照明灯ランプの点灯時に照明灯ランプの光を受けて充電し、照明灯ランプが消灯したときに、上記充電した電力によって点灯して夜間照明を行うとともに、環境の変化を検知して警報を発するようにした監視灯であって、照明灯ランプ管又は照明灯リフレクタに吊り下げられる函体と、該函体に照明灯ランプ管に対面するように設けられるか又は照明灯ランプ管に貼り付けられ、照明灯の光を受光して発電するソーラパネルと、上記函体に設けられ、充電された上記充電池又はコンデンサを電源として点灯するＬＥＤと、上記函体に内蔵され、上記ソーラパネルの起電力を電源として充電池又はコンデンサを充電する一方、照明灯ランプが消灯したときに上記ＬＥＤを点灯させる通電回路と、上記函体に設けられ、人間の存在、温度、湿度、照度又は炭酸ガスの群から選ばれる１又は複数のパラメーターから環境の変化を検知する環境センサーと、該環境センサーの信号を受け、警報を発する警報装置と、を備えたことを特徴とする。
【０００９】
本発明の特徴の１つは函体を照明器具にセットし、照明灯ランプの光によって発電して充電池やコンデンサに充電し、夜間等にＬＥＤを点灯させて夜間照明をする一方、夜間等において函体の環境センサーによって環境の変化を検知すると、例えば不審者や火災などと判断して警報を発するようにした点にある。
【００１０】
これにより、いわゆる常夜灯を利用して警報装置を安価に構成することができ、複雑で高価なシステムを必要とせず、低コスト性を求められる住宅等に設置するのに最適であるばかりでなく、既存の照明灯に簡単にセットできるので、ユーザーの好みに応じて自由に設置できる。
【００１１】
環境センサーには人感センサー、温度センサー、湿度センサー、照度センサー、炭酸ガスセンサーの群から選ばれる１つ又は複数のセンサーを用いるが、これらのセンサーは公知のセンサーを使用できる。例えば、人感センサーは赤外線、超音波、可視光などを照射してその反射を検知して人間の存在を検知できるものであればよい。
【００１２】
警報は警報音、警告灯の点灯や点滅などを採用することができる。さらに、警報装置に安価なストロボ付きカメラをセットし、不審者の写真を撮るとともに、フラッシュを点灯させて不審者を撃退するようにしてもよい。
【００１３】
函体はＵ字状やリング状のアームや吊り下げ用ワイヤーで照明灯ランプ管又は照明灯リフレクタに吊り下げることができる。
【図面の簡単な説明】
【００１４】
【図１】本発明に係る監視灯の実施形態を示す概略斜視図である。
【図２】上記実施形態を示す底面斜視図である。
【図３】上記実施形態の回路構成例を示す図である。
【図４】第２の実施形態を示す概略斜視図である。
【図５】第３の実施形態を示す概略斜視図である。
【図６】第４の実施形態を示す回路構成例を示す図である。
【図７】第４の実施形態を示す底面斜視図である。
【発明を実施するための形態】
【００１５】
以下、本発明を図面に示す具体例に基づいて詳細に説明する。図１ないし図３は本発明に係る監視灯の好ましい実施形態を示す。監視灯１０では長楕円筒状に製作された函体１１の両側壁面に嵌込み凹部１１Ａが形成され、嵌込み凹部１１Ａには金属板製のアーム１２の両下端が嵌め込まれてアーム１２が函体１１に取付けられるようになっている。
【００１６】
函体１１の頂面にはソーラパネル１３が設けられ、函体１１の底面には複数のＬＥＤ１４が並べて設けられ、函体１１内にはソーラパネル１３の起電力を電源としてスーパーキャパシタ２１を充電する一方、照明灯ランプが消灯したときにＬＥＤ１４を点灯させる通電回路２０、及びスーパーキャパシタ２１の充電電圧を基準電圧と比較して充電電圧が基準電圧に達したときに通電回路２０による充電を停止させる充電制御回路２２が内蔵されている。
【００１７】
図３は通電回路２０及び充電制御回路２２の回路構成例を示す。図において、ソーラパネル１３は通電回路２０及びスーパーキャパシタ２１が直列に接続され、通電回路２０及びスーパーキャパシタ２１は相互に並列に接続されている。
【００１８】
通電回路２０ではトランジスタ２０Ｂ、２０Ｃ、２０Ｄ、チョークコイル２０Ｅ、コンデンサ２０Ｆ、２０Ｇ、ショットキーバリアダイオード２０Ｈ、抵抗２０Ｊ、２０Ｋ及びＣｄＳセル２０Ｌによってブロッキング発振回路が構成されており、ブロッキング発振回路は通電停止や故障などによって照明灯が消灯されたときに発振してＬＥＤ１４を点灯させるようになっている。
【００１９】
また、スーパーキャパシタ２１には充電制御回路２２が設けられている。この充電制御回路２２はトランジスタ２２Ａと比較器２２Ｂを有し、ソーラパネル１３の発電電圧を抵抗で降圧した電圧を基準電圧とし、スーパーキャパシタ２１の充電電圧と比較し、充電電圧が基準電圧に達したときにトランジスタ２２ＡをＯＦＦとし、スーパーキャパシタ２１の充電を停止させるようになっている。
【００２０】
また、函体１１の底面には人感センサー１５、赤色ＬＥＤ１６及びスピーカー１７が取付けられ、函体１１内には警報装置３０が内蔵され、警報装置３０は人感センサー１５の信号を受け、赤色ＬＥＤ１６を点灯又は点滅させるとともに、スピーカー１７から警報音を発生させ、さらにカメラ３１のシャッター機構３１Ａを作動させてカメラ３１に撮影させるとともに、フラッシュを点灯させ、又予め登録された携帯端末３２に不審者の侵入を通知するようになっている。
【００２１】
本例の監視灯１０ではアーム１２を既存の照明器具の照明灯ランプ管５０にまたがらせ、アーム１２の先端部分を函体１１の係止凹部１１Ａに係合させると、監視灯１０を照明灯ランプ管５０から吊り下げることができる。
【００２２】
照明灯ランプの点灯中にはソーラパネル１３が受光して電力を発電し、スーパーキャパシタ２１を充電している。スーパーキャパシタ２１の充電電圧が基準電圧に達すると、充電制御回路２２では比較回路２２Ｂの出力が’Ｌ’となり、トランジスタ２２ＡがＯＦＦとなるので、スーパーキャパシタ２１の充電は停止され、これによって過充電は未然に防止される。
【００２３】
他方、通電回路２０ではトランジスタ２０Ｂのベースにはスーパーキャパシタ２１の電圧がＣｄＳセル２０Ｌ及び抵抗２０Ｊの抵抗値によって決まる電圧が印加されるが、照明灯ランプが点灯して明るい状態ではＣｄＳセル２０Ｌの抵抗値は低く、トランジスタ２０Ｂのベースには高電圧が印加されてトランジスタ２０ＢはＯＮとなり、通電回路２０はブロッキング発振を行わず、ＬＥＤ１４は点灯しない。
【００２４】
また、照明灯ランプが消灯すると、ＣｄＳセル２０Ｌの抵抗値が大きくなり、トランジスタ２０Ｂのベース電圧は低くなり、トランジスタ２０ＢはＯＦＦとなる。すると、トランジスタ２０ＤもＯＦＦとなり、発振回路がブロッキング発振をしてＬＥＤ１４を点灯させ、これによって常夜灯として利用することができる。
【００２５】
他方、監視灯１０の照明の範囲内に不審者が侵入すると、人感センサー１５がそれを検知し、警報装置３０が人感センサー１５の信号を受けると、赤色ＬＥＤ１６を点灯又は点滅させるとともに、スピーカー１７から警報音を発生させ、さらにカメラ３１のシャッター機構３１Ａを作動させてカメラ３１に撮影させるとともに、フラッシュを点灯させ、又予め登録された携帯端末３２に不審者の侵入を通知する。
【００２６】
これによって侵入した不審者を驚かせて撃退し、又住人には不審者の侵入を通知して警戒その他の対処をとらせることができる。
【００２７】
図４は第２の実施形態を示す。図において、水銀灯（高電圧放電灯）６０は傘６１内に水銀灯ランプ管６２を内蔵して構成され、傘６１の下端６１Ａには３つのクリップ（係止手段）７１が等しい角度間隔をあけて着脱可能に係止され、クリップ７１はワイヤー（吊り具）７０の先端に取付けられ、ワイヤー７０は監視灯１２の函体１１に固定されており、こうして監視灯１０は水銀灯ランプ管６２から４０°Ｃ〜５０°Ｃの温度領域に吊り下げることもできる。
【００２８】
なお、監視灯１０による警報機能については第１の実施形態と同様であるので、その詳細な説明は省略する。
【００２９】
図５は第３の実施形態を示し、図１ないし図３と同一符号は同一又は相当部分を示す。本例では蛍光灯ランプ管５０の背面に帯状のソーラパネル１３を貼り付け、その発電電力を監視灯１０のスーパーキャパシタに充電し、ＬＥＤ１４の点灯時間を長く維持できるようにしている。
【００３０】
図６及び図７は第４の実施形態を示し、図において図１ないし図５と同一符号は同一又は相当部分を示す。本例では人感センサー１５に加え、温度センサー１５Ａ、湿度センサー１５Ｂ、照度センサー１５Ｃ、炭酸ガスセンサー１５Ｄがさらに設けられ、警報装置３０が人感センサー１５、温度センサー１５Ａ、湿度センサー１５Ｂ、照度センサー１５Ｃ、炭酸ガスセンサー１５Ｄの信号を受け、人間の存在、温度、湿度、照度又は炭酸ガスの変化から、不審者の存在や火災など、環境が変化したことを検知して警報、例えば赤色ＬＥＤ１６を点灯又は点滅させ、スピーカー１７から警報音を発生させ、さらにカメラ３１のシャッター機構３１Ａを差動させてカメラ３１に撮影させるとともに、フラッシュを点灯させ、又予め登録された携帯端末３２に環境の変化を通知するようになっている。
【符号の説明】
【００３１】
１０      監視灯
１１      函板
１２      アーム
１３      ソーラパネル
１４      ＬＥＤ
１５      人感センサー
１５Ａ      温度センサー
１５Ｂ      湿度センサー
１５Ｃ      照度センサー
１５Ｄ      炭酸ガスセンサー
１６      赤色ＬＥＤ
１７      スピーカー
２０      通電回路
３０      警報装置
３１      カメラ
３２      携帯端末
５０      照明灯ランプ管
【図１】
0006291457.tif 000002
【図２】
0006291457.tif 000003
【図３】
0006291457.tif 000004
【図４】
0006291457.tif 000005
【図５】
0006291457.tif 000006
【図６】
0006291457.tif 000007
【図７】
0006291457.tif 000008